【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計であって、
前記外部操作部材には、前記基本時計用指針を操作するリューズおよび少なくとも一つのスイッチが含まれ、このリューズは少なくとも０段目、１段目、２段目の３つの位置に変更可能に設けられ、
前記アラーム制御手段は、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えられるとともに、
前記リューズの位置に応じて前記各モードに切り替えられた際に、前記スイッチを操作することで、前記切り替えられた各モードにおける操作が行われるように設定されていることを特徴とするアラーム付電子時計。
【請求項２】
請求項１に記載のアラーム付電子時計において、
前記リューズは、前記０段目が通常運針時の位置、前記１段目が前記基本時計用指針の日修正を行う位置、前記２段目が前記基本時計用指針の針合わせを行う位置であり、
前記アラーム制御手段は、前記リューズが０段目に位置する際に前記アラーム鳴音モードに設定され、前記リューズが１段目に位置する際に前記アラーム時刻セットモードに設定され、前記リューズが２段目に位置する際に前記アラーム現時刻合わせモードに設定されることを特徴とするアラーム付電子時計。
【請求項３】
請求項１または請求項２に記載のアラーム付電子時計において、
前記アラーム制御手段は、前記リューズの位置を検出するリューズ位置検出部と、前記少なくとも１つのスイッチの状態を検出するスイッチ検出部と、前記リューズ位置検出部で検出したリューズ位置情報および前記スイッチ検出部で検出したスイッチ状態情報に基づいて前記各モードにおける操作を実行するアラーム制御部と、を備えることを特徴とするアラーム付電子時計。
【請求項４】
請求項１〜３のいずれかに記載のアラーム付電子時計において、
前記アラーム制御手段は、前記アラームセット時刻が設定されたアラームセット状態では、前記アラーム用指針が前記アラームセット時刻を指示した状態で停止し、前記アラームセット状態でないアラーム非セット状態では、前記アラーム用指針が運針するように制御するアラーム針運針制御手段を有することを特徴とするアラーム付電子時計。
【請求項５】
請求項４に記載のアラーム付電子時計において、
前記アラーム針運針制御手段は、前記アラーム非セット状態では、前記アラーム用指針に前記基本時計用指針と同じ時刻を表示させるように運針制御することを特徴とするアラーム付電子時計。
【請求項６】
請求項１〜５のいずれかに記載のアラーム付電子時計において、
前記アラーム制御手段は、前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えるアラーム実行手段を有することを特徴とするアラーム付電子時計。
【請求項７】
請求項１〜６のいずれかに記載のアラーム付電子時計において、
前記アラーム制御手段は、前記アラーム時刻セットモードであり、かつ前記設定されたアラームセット時刻と前記現時刻とが不一致の場合には、前記アラームセット状態に設定し、
前記アラーム時刻セットモードであり、かつ前記設定されたアラームセット時刻と前記現時刻とが一致した場合には、前記アラーム非セット状態に設定するアラーム切替手段を有することを特徴とするアラーム付電子時計。
【請求項８】
請求項７に記載のアラーム付電子時計において、
前記アラーム制御手段は、所定の操作により前記アラーム用指針の送り動作を早送り動作に切り替える早送り手段を有し、前記早送り手段は、前記アラーム時刻セットモード時であり、前記アラーム用指針の早送り中であり、かつ設定中の前記アラームセット時刻と前記現時刻とが一致した場合、前記早送り手段による前記アラーム用指針の早送りを中止することを特徴とするアラーム付電子時計。
【請求項９】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計の操作方法であって、
前記外部操作部材として、前記基本時計用指針を操作可能かつ少なくとも０段目、１段目、２段目の３つの位置に変更可能なリューズおよび少なくとも一つのスイッチを用い、
前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えるとともに、
前記リューズの位置に応じて前記各モードに切り替えられた際に、前記スイッチを操作することで、前記切り替えられた各モードにおける操作を行うことを特徴とするアラーム付電子時計の操作方法。
【請求項１０】
請求項９に記載のアラーム付電子時計の操作方法において、
前記アラームセット時刻が設定されたアラームセット状態では、前記アラームセット時刻を指示した状態で前記アラーム用指針を停止させ、前記アラームセット状態でないアラーム非セット状態では、前記アラーム用指針に所定の運針を行わせることを特徴とするアラーム付電子時計の操作方法。
【請求項１１】
請求項９または請求項１０に記載のアラーム付電子時計の操作方法において、
前記アラーム鳴音モードであり、前記アラームセット時刻が設定されたアラームセット状態であり、かつ前記アラームカウンタと現時刻カウンタの内容が一致した際に、前記アラーム鳴音手段にアラームを鳴音させ、かつ前記アラーム非セット状態に切り替えることを特徴とするアラーム付電子時計の操作方法。
【請求項１２】
請求項９〜１１のいずれかに記載のアラーム付電子時計の操作方法において、
前記アラーム時刻セットモードであり、かつ前記設定されたアラームセット時刻と前記現時刻とが不一致の場合には、前記アラームセット状態に設定し、
前記アラーム時刻セットモードであり、かつ前記設定されたアラームセット時刻と前記現時刻とが一致した場合には、前記アラーム非セット状態に設定することを特徴とするアラーム付電子時計の操作方法。
【請求項１３】
請求項１２に記載のアラーム付電子時計の操作方法において、
所定の操作により前記アラーム用指針の送り動作を早送り動作に切り替えるとともに、
前記アラーム時刻セットモード時であり、前記アラーム用指針の早送り中であり、かつ設定中の前記アラームセット時刻と前記現時刻とが一致した場合、前記アラーム用指針の早送りを中止することを特徴とするアラーム付電子時計の操作方法。
【請求項１４】
複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、前記基本時計用指針を操作可能かつ少なくとも０段目、１段目、２段目の３つの位置に変更可能なリューズおよび少なくとも一つのスイッチを含む外部操作部材と、を備えたアラーム付電子時計に組み込まれる制御プログラムであって、
前記指針式電子時計に組み込まれたコンピュータに、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替える手順を実行させるとともに、
前記リューズの位置に応じて前記各モードに切り替えられた際に、前記スイッチを操作することで、前記切り替えられた各モードにおける操作が行う手順を実行させることを特徴とするアラーム付電子時計の制御プログラム。
【手続補正２】
【補正対象書類名】明細書
【補正対象項目名】０００８
【補正方法】変更
【補正の内容】
【０００８】
【課題を解決するための手段】
本発明のアラーム付電子時計は、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えるとともに、前記外部操作部材には、前記基本時計用指針を操作するリューズおよび少なくとも一つのスイッチが含まれ、このリューズは少なくとも０段目、１段目、２段目の３つの位置に変更可能に設けられ、前記アラーム制御手段は、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードとの３つのアラーム制御モードに切り替えられるとともに、前記リューズの位置に応じて前記各モードに切り替えられた際には、前記スイッチを操作することで前記切り替えられた各モードにおける操作が行われるように設定されていることを特徴とするものである。


【手続補正３】
【補正対象書類名】明細書
【補正対象項目名】０００９
【補正方法】変更
【補正の内容】
【０００９】
この構成では、アラーム用指針の操作やアラームセット等を行うアラーム制御手段の各制御モードの切換を、基本時計用指針を操作するリューズによって行うようにしたので、従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを設けるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明のアラーム付電子時計において、前記少なくとも１つのスイッチにより前記リューズの位置に応じた前記各モード毎の操作を行うために、前記アラーム制御手段は、前記リューズの位置を検出するリューズ位置検出部と、前記少なくとも１つのスイッチの状態を検出するスイッチ検出部と、前記リューズ位置検出部で検出したリューズ位置情報および前記スイッチ検出部で検出したスイッチ状態情報に基づいて前記各モードにおける操作を実行するアラーム制御部と、を備えることが好ましい。


【手続補正６】
【補正対象書類名】明細書
【補正対象項目名】００１４
【補正方法】変更
【補正の内容】
【００１４】
前述した各モード毎の操作を行うためのスイッチの数は、アラーム機能のみが追加されている場合には１つでもよいが、クロノグラフ機能等の他の機能も有する時計の場合には、２つのスイッチを設けることが好ましい。


【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００２７
【補正方法】変更
【補正の内容】
【００２７】
本発明の操作方法は、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、外部操作部材と、を備えたアラーム付電子時計の操作方法であって、前記外部操作部材として、前記基本時計用指針を操作可能かつ少なくとも０段目、１段目、２段目の３つの位置に変更可能なリューズおよび少なくとも一つのスイッチを用い、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替えるとともに、前記リューズの位置に応じて前記各モードに切り替えられた際に、前記スイッチを操作することで、前記切り替えられた各モードにおける操作を行うことを特徴とする。


【手続補正１０】
【補正対象書類名】明細書
【補正対象項目名】００２８
【補正方法】変更
【補正の内容】
【００２８】
この方法では、アラーム用指針の操作やアラームセット等を行うアラーム制御手段の各制御モードの切換を、基本時計用指針を操作するリューズによって行うので、アラーム付電子時計に従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを用いるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。
【手続補正１１】
【補正対象書類名】明細書
【補正対象項目名】００３７
【補正方法】変更
【補正の内容】
【００３７】
本発明の制御プログラムは、複数のステップモータと、少なくとも現時刻を指示する基本時計用指針およびアラームセット時刻を指示するアラーム用指針を含みかつ前記各ステップモータで駆動される複数の指針と、前記現時刻を計数する現時刻カウンタと、前記アラームセット時刻を記憶するアラームカウンタと、アラーム鳴音手段と、アラーム用指針およびアラーム鳴音手段を制御するアラーム制御手段と、前記基本時計用指針を操作可能かつ少なくとも０段目、１段目、２段目の３つの位置に変更可能なリューズおよび少なくとも一つのスイッチを含む外部操作部材と、を備えたアラーム付電子時計に組み込まれる制御プログラムであって、前記指針式電子時計に組み込まれたコンピュータに、前記リューズの３つの位置に対応して、前記アラームセット時刻が設定されておりかつ現時刻がアラームセット時刻に一致した際にアラームが鳴音するアラーム鳴音モードと、前記アラームセット時刻を設定するアラーム時刻セットモードと、前記アラーム用指針を前記現時刻に合わせるアラーム現時刻合わせモードと、に切り替える手順を実行させるとともに、前記リューズの位置に応じて前記各モードに切り替えられた際に、前記スイッチを操作することで、前記切り替えられた各モードにおける操作が行う手順を実行させることを特徴とする。


【手続補正１２】
【補正対象書類名】明細書
【補正対象項目名】００３８
【補正方法】変更
【補正の内容】
【００３８】
この制御プログラムによれば、アラーム用指針の操作やアラームセット等を行うアラーム制御手段の各制御モードの切換を、基本時計用指針を操作するリューズによって行うので、アラーム付電子時計に従来のような第２のリューズを設ける必要がない。このため、アラーム用指針を有するアラーム付電子時計であっても、外部操作部材の数を少なくでき、その分、ムーブメントの小型薄型化が図れ、レイアウト自由度も高まり、コストも低減できる。特に、リューズは、切り替え機構などが付属するために、スイッチなどの他の外部操作部材に比べて広いスペースが必要となるため、リューズの数を削減すれば、スイッチを削減する場合に比べても、ムーブメントをより一層小型薄型化することができる。
さらに、外部操作部材としてリューズの他にスイッチを用いるので、リューズを所定の段に移動後、リューズ自身を回転させた場合には、カレンダ修正や基本時計の針合わせが行われ、スイッチを押すなどの操作を行った場合には、アラーム用指針の針合わせやアラーム時刻セット操作等が行われるようにすることができる。このため、時計の使用者は、各アラーム制御モードでの操作と基本時計等の操作とを明確に区別して操作でき、時間で区別する場合に比べて操作性を向上できる。